(57)【要約】【課題】  バッテリ駆動式の携帯型情報端末装置に、確実かつ効率的にデータ転送を実現することができる画像処理装置、画像処理装置の制御方法、プログラムおよび記憶媒体を提供することを目的とする。【解決手段】  バッテリ駆動式の携帯型情報端末装置との間で通信する通信手段と、上記通信手段を通じて、上記携帯型情報端末装置との間で、データを送受信するデータ送受信手段と、上記通信手段を通じて、上記携帯型情報端末装置の装置状態情報を取得する装置状態情報取得手段と、取得した上記装置状態情報を解析する装置状態情報解析手段と、上記装置状態情報解析手段が上記装置状態情報を解析した結果に応じて、上記携帯型情報端末装置との間におけるデータ通信を制御するデータ通信制御手段とを有することを特徴とする画像処理装置である。【選択図】  図１
2006285401.tif 000002
【特許請求の範囲】
【請求項１】
バッテリ駆動式の携帯型情報端末装置との間で通信する通信手段と；
上記通信手段を通じて、上記携帯型情報端末装置との間で、データを送受信するデータ送受信手段と；
上記通信手段を通じて、上記携帯型情報端末装置の装置状態情報を取得する装置状態情報取得手段と；
取得した上記装置状態情報を解析する装置状態情報解析手段と；
上記装置状態情報解析手段が上記装置状態情報を解析した結果に応じて、上記携帯型情報端末装置を制御する携帯型情報端末装置制御手段と；
を有することを特徴とする画像処理装置。
【請求項２】
請求項１において、
上記装置状態情報は、上記携帯型情報端末装置のバッテリの状態情報であることを特徴とする画像処理装置。
【請求項３】
請求項１において、
上記携帯型情報端末装置制御手段は、上記携帯型情報端末装置からのデータの転送の許可あるいは不許可を制御することを特徴とする画像処理装置。
【請求項４】
請求項１において、
上記携帯型情報端末装置制御手段は、上記携帯型情報端末装置の表示部を非表示化または消灯するように指示することを特徴とする画像処理装置。
【請求項５】
請求項１において、
上記携帯型情報端末装置制御手段は、所定の省電力モードへ切り替えるように指示することを特徴とする画像処理装置。
【請求項６】
請求項１において、
上記携帯型情報端末装置制御手段は、全着信を拒否する設定への切り替えるように指示することを特徴とする画像処理装置。
【請求項７】
バッテリ駆動式の携帯型情報端末装置との間で、データを送受信し、記憶装置に記憶するデータ送受信工程と；
上記携帯型情報端末装置の装置状態情報を取得し、記憶装置に記憶する装置状態情報取得工程と；
取得した上記装置状態情報を解析し、記憶装置に記憶する装置状態情報解析工程と；
上記装置状態情報解析工程において上記装置状態情報を解析した結果に応じて、上記携帯型情報端末装置を制御する携帯型情報端末装置制御工程と；
を有することを特徴とする画像処理装置の制御方法。
【請求項８】
バッテリ駆動式の携帯型情報端末装置との間で、データを送受信し、記憶装置に記憶するデータ送受信手順と；
上記携帯型情報端末装置の装置状態情報を取得し、記憶装置に記憶する装置状態情報取得手順と；
取得した上記装置状態情報を解析し、記憶装置に記憶する装置状態情報解析手順と；
上記装置状態情報解析手順において上記装置状態情報を解析した結果に応じて、上記携帯型情報端末装置を制御する携帯型情報端末装置制御手順と；
をコンピュータに実行させるプログラム。
【請求項９】
バッテリ駆動式の携帯型情報端末装置との間で、データを送受信し、記憶装置に記憶するデータ送受信手順と；
上記携帯型情報端末装置の装置状態情報を取得し、記憶装置に記憶する装置状態情報取得手順と；
取得した上記装置状態情報を解析し、記憶装置に記憶する装置状態情報解析手順と；
上記装置状態情報解析手順において上記装置状態情報を解析した結果に応じて、上記携帯型情報端末装置を制御する携帯型情報端末装置制御手順と；
をコンピュータに実行させるプログラムを記憶したコンピュータ読み取り可能な記憶媒体。
【発明の詳細な説明】
【技術分野】
【０００１】
本発明は、バッテリ駆動型の任意の携帯型情報端末装置とデータ交換可能な画像処理装置とに関し、特に、データ交換の際に、携帯型情報端末装置のバッテリ状態を、データ交換の開始前に把握し、この把握されたバッテリ状態に応じて、データ交換、携帯型情報端末装置とのデータ通信の制御、携帯型情報端末装置の制御等、操作の実施の可否を判断する画像処理装置、画像処理装置の制御方法、プログラムおよび記憶媒体に関する。
【背景技術】
【０００２】
昨今の液晶装置および画像出力装置の性能向上によって、携帯電話やＰＤＡ、デジタルカメラ等の携帯型情報端末装置と、プリンタや多機能周辺機器（以下、「ＭＦＰ」という）等の画像処理装置とを接続し、画像やその他の各種データをやり取りすることが頻繁に行われている。
【０００３】
上記「データのやり取り」は、単に画像を印刷するためのデータのやり取りだけではなく、各機器がデータストレージとして利用された場合におけるデータのやり取りに加え、表示部のより大きい機器で画像等を表示するためのデータ転送という形態で実現されている。
【０００４】
従来、画像処理装置内部の記憶装置や、画像処理装置に装着されているメモリカード等の記憶媒体内の各種データを、携帯情報端末装置等の外部機器に転送し、表示させる際、携帯型情報端末装置側の記憶容量や画像表示装置の性能に応じて、画像処理装置側の処理を変える装置が提案されている（たとえば、特許文献１参照）。
【０００５】
また、プリント途中でバッテリが切れた場合のプリント途中位置を記憶し、プリント途中でバッテリが切れた場合に、対処可能なプリンタ装置が提案されている（たとえば、特許文献２参照）。
【特許文献１】特開２００３−６０９５２公報
【特許文献２】特開平１０−２５０１９０号公報
【発明の開示】
【発明が解決しようとする課題】
【０００６】
昨今、表示装置の高度化に加え、携帯情報端末の高機能化によって、より複雑な処理が可能となる一方で、これに伴って、携帯型情報端末装置の電力消費量が著しく増加する傾向にある。
【０００７】
さらに、機器間でやり取りするデータ量も飛躍的に増加しているので、転送時間も比較的長時間化している。
【０００８】
このような理由から、データ転送中に、対象の携帯型情報端末装置が突然バッテリ切れになる状況が起こりやすく、この突然のバッテリ切れによって、大切なデータを破損する恐れがあるという問題がある。
【０００９】
また、上記のように、大容量のデータを転送する際には相当な時間を要するので、長い時間待ち、ほぼ転送完了に近い状態で、バッテリ切れが起こると、携帯型情報端末装置を充電した後に、初めから転送作業をやり直さなければならず、時間的ロスが大きいという問題がある。
【００１０】
本発明は、バッテリ駆動式の携帯型情報端末装置に、確実かつ効率的にデータ転送を実現することができる画像処理装置、画像処理装置の制御方法、プログラムおよび記憶媒体を提供することを目的とする。
【課題を解決するための手段】
【００１１】
本発明は、バッテリ駆動式の携帯型情報端末装置にデータ転送作業を開始する前に、バッテリ状態等、携帯型情報端末装置の状態情報を予め取得し、この取得した携帯型情報端末装置の装置状態情報に応じた処理を、画像処理装置側で判断し、実行する。
【００１２】
つまり、本発明は、バッテリ駆動式の携帯型情報端末装置との間で通信する通信手段と、上記通信手段を通じて、上記携帯型情報端末装置との間で、データを送受信するデータ送受信手段と、上記通信手段を通じて、上記携帯型情報端末装置の装置状態情報を取得する装置状態情報取得手段と、取得した上記装置状態情報を解析する装置状態情報解析手段と、上記装置状態情報解析手段が上記装置状態情報を解析した結果に応じて、上記携帯型情報端末装置を制御する携帯型情報端末装置制御手段とを有することを特徴とする画像処理装置である。
【００１３】
さらに、本発明は、バッテリ駆動式の携帯型情報端末装置との間で、データを送受信し、記憶装置に記憶するデータ送受信工程と、上記携帯型情報端末装置の装置状態情報を取得し、記憶装置に記憶する装置状態情報取得工程と、取得した上記装置状態情報を解析し、記憶装置に記憶する装置状態情報解析工程と、上記装置状態情報解析工程において上記装置状態情報を解析した結果に応じて、上記携帯型情報端末装置を制御する携帯型情報端末装置制御工程とを有することを特徴とする画像処理装置の制御方法である。
【００１４】
また、本発明は、バッテリ駆動式の携帯型情報端末装置との間で、データを送受信し、記憶装置に記憶するデータ送受信手順と、上記携帯型情報端末装置の装置状態情報を取得し、記憶装置に記憶する装置状態情報取得手順と、取得した上記装置状態情報を解析し、記憶装置に記憶する装置状態情報解析手順と、上記装置状態情報解析手順において上記装置状態情報を解析した結果に応じて、上記携帯型情報端末装置を制御する携帯型情報端末装置制御手順とをコンピュータに実行させるプログラムである。
【００１５】
そして、本発明は、上記プログラムを記憶したコンピュータ読み取り可能な記憶媒体である。
【発明の効果】
【００１６】
本発明によれば、データ転送作業が携帯型情報端末装置のバッテリ切れで滞ることがなく、これに伴うデータ破損の恐れがないという効果を奏する。
【００１７】
また、本発明によれば、携帯型情報端末装置のバッテリ状態によっては、データ転送を受け付けないので、途中で中断して、データ転送をやり直す等の時間的ロスが無く、ユーザの作業効率が向上するという効果を奏する。
【発明を実施するための最良の形態】
【００１８】
発明を実施するための最良の形態は、次の実施例である。
【実施例１】
【００１９】
図１は、本発明の実施例１であるＭＦＰ１０が使用されている画像処理システム１００の全体の構成を示す構成図である。
【００２０】
画像処理システム１００は、ＭＦＰ１０と携帯電話機２０とによって構成されている。
【００２１】
ＭＦＰ１０は、画像処理装置の一例であり、スキャナ機能を装備し、スキャンしたものを、ｊｐｅｇ等の画像情報として、装置内の記憶装置に記憶し、コンパクトフラッシュ（登録商標）、ＳＤカード等、各種記憶媒体のスロットルを装備し、スキャンした情報のみならず、外部記憶媒体から読み取った各種データをも記憶し、出力する。
【００２２】
ＭＦＰ１０は、携帯電話機２０との間で、接続と通信とが可能であり、また、ＰＤＡ３０との間で、接続と通信とが可能であり、この接続形態は、有線、無線のどちらでもよい。この具体的な接続手段は、有線では、ＵＳＢやＩＥＥＥ１３９４等であり、無線では、赤外線やＢｌｕｅＴｏｏｔｈ等が有力な接続手段である。上記接続形態については、特に問わない。
【００２３】
携帯電話機２０、ＰＤＡ３０は、携帯型情報端末装置の例であり、携帯型情報端末装置と接続されているＭＦＰ１０は、携帯型情報端末装置内に記憶されている画像等の各種データを受信し出力し、また、ＭＦＰ１０内の記憶装置に記憶されている各種データを、携帯型情報端末装置側に送信することによって、ＭＦＰ１０内の各種データを、携帯型情報端末装置の液晶画面に表示させることができる。
【００２４】
また、ＭＦＰ１０は、上記各種データに加えて、通信相手の携帯型情報端末装置の装置状態情報を受信する手段と、解析する手段とを有し、携帯型情報端末装置の状態を把握することができる。
【００２５】
図２は、ＭＦＰ１０の回路構成例と、携帯電話機２０の回路構成例とを示すブロック図である。
【００２６】
ＭＦＰ１０は、制御部１１と、操作部１２と、表示部１３と、記憶部１４と、画像制御部１５と、ネットワークＩ／Ｆ（インタフェース）１６と、外部Ｉ／Ｆ制御部１７と、状態認識部１８とを有する。
【００２７】
制御部１１は、ＣＰＵ・ＲＯＭ・ＲＡＭ等によって構成され、装置全体の動作や制御を行う。操作部１２は、各種入力を行う。表示部１３は、装置状態や画像等の各種データを表示する。
【００２８】
記憶部１４は、上記各種データを記憶し、ＭＦＰ１０のスキャン機能で取り込んだ画像データだけでなく、画像制御部１５によってフラッシュメモリ等の外部記憶装置からロードしたデータも記憶され、加えて装置状態等、設定情報も保存される。
【００２９】
画像制御部１５は、画像の読取と出力とを制御する。外部I／F制御部１７は、外部機器との間で通信を行なう。状態認識部１８は、接続している外部機器の状態情報を認識する。
【００３０】
携帯電話機２０は、制御部２１と、操作部２２と、表示部２３と、記憶部２４と、外部Ｉ／Ｆ制御部２５と、通信部２６とを有する。
【００３１】
制御部２１は、携帯電話機２０の全体の動作や制御を行う。操作部２２は、各種入力を行うためのものである。表示部２３は、携帯型情報端末装置の状態や画像等、各種データを表示する。記憶部２４は、上記各種データの設定情報や各種アプリケーションデータを記憶する。外部Ｉ／Ｆ制御部２５は、外部機器との間で通信する。
【００３２】
ここで、ＭＦＰ１０の記憶部１４内の画像データまたは画像制御部１５から取り込まれた画像データを、ＭＦＰ１０から携帯電話機２０へ転送する場合を考える。
【００３３】
たとえば、ＵＳＢ接続された外部Ｉ／Ｆ１７を通じて、ＭＦＰ１０が、携帯電話機２０との接続を認識すると、ＭＦＰ１０は、携帯電話機２０のバッテリ情報（装置状態情報）を要求する。装置状態情報を要求するタイミングは、ユーザからの操作要求（たとえば画像の転送等）が実行される前であれば、どのタイミングでもよい。
【００３４】
装置状態情報を要求された携帯電話は、記憶部２４から状態情報を読み出し、外部Ｉ／Ｆ制御部２５を通じて、そのレスポンスを返すが、ＭＦＰ１０は、上記レスポンスデータのうちのバッテリ情報を、状態認識部１８が解析し、携帯電話機２０のバッテリ状態を把握することができる。
【００３５】
解析の結果、通信相手の携帯電話機２０にバッテリ切れの心配がないと判断すれば、ＭＦＰ１０は、ユーザの操作要求をそのまま実行する。
【００３６】
一方、携帯電話機２０がバッテリ切れを起こす可能性が高いと判断すれば、携帯電話機２０側に、次のような操作を働きかける。つまり、携帯電話機２０の表示部２３の表示を消すか、バックライトを消すか、携帯電話機２０の呼び出しモードをマナーモードからリンガーモードにするか、省電力モードにするか、または、強制的に、全ての着信を拒否する。
【００３７】
また、この場合、ＭＦＰ１０の表示部１３に、携帯電話機２０の状態を表示し、画像制御部１５を通じて、その旨の警告メッセージ等をプリントアウトするようにしてもよい。
【００３８】
次に、実施例１におけるＭＦＰ１０の内部処理について説明する。
【００３９】
図３は、実施例１であるＭＦＰ１０の内部処理を示すフローチャートである。
【００４０】
Ｓ１では、ＭＦＰ１０が、携帯電話機２０を含む外部機器との接続を待機している状態である。
【００４１】
有線、無線を問わず、所定の時点で、ＭＦＰ１０が接続を確認すると（Ｓ２）、Ｓ３では、ＭＦＰ１０は、ユーザからの操作要求を待機する。ＭＦＰ１０の操作部１２からのオペレーションか、外部Ｉ／Ｆ１７を通じて携帯電話機２０の操作部２２から入力されたコマンドによる動作信号を待っている。
【００４２】
ＭＦＰ１０、携帯電話機２０いずれかの操作信号を受信した場合（Ｓ３：ＹＥＳ）、Ｓ４に進み、いずれの信号も受信していない場合（Ｓ３：ＮＯ）、何らかの命令信号を受信するまで待機する。なお、設定時間内に命令を受信しなければ、ユーザに操作する意思がないものと判断し、終了するようにしてもよい。
【００４３】
ここで、画像転送やプリント等、ユーザからの操作要求（操作コマンド）を、ＭＦＰ１０が確認すると（Ｓ３：ＹＥＳ）、接続された外部機器の状態情報（この場合、バッテリ情報）を把握するために、ＭＦＰ１０は、外部機器にバッテリ状態情報の提示を求める。
【００４４】
なお、ここでは、ユーザの操作要求の確認が、状態情報の提示動作のトリガであるが、ＭＦＰ１０と外部機器との接続確認を、状態情報の提示動作のトリガとし、接続確認時点で、状態情報の提示動作を行うようにしてもよい。
【００４５】
ＭＦＰ１０は、状態情報の提示通知の後に、外部機器側から状態情報の通知が行われたかどうかを調べる（Ｓ５）。通知が行われなければ（Ｓ５：ＮＯ）、Ｓ４へ戻り、通知が適切に行われたことを確認すると（Ｓ５：ＹＥＳ）、Ｓ６へ遷移する。
【００４６】
ここで、たとえば、所定の制限時間や問い合わせ回数を設定し、携帯電話機２０からの応答信号を、設定された制限時間内に受信すれば、Ｓ６へ進み、一方、携帯電話機２０からの応答信号を、設定された制限時間内に受信しなければ、予め設定された問い合わせ回数だけ問い合わせを行い、それでも応答が得られなければ、バッテリが無いか、何らかのエラーであると判断し、終了（Ｓ１６）するようにしてもよい。
【００４７】
ＭＦＰ１０は、外部機器側から状態情報を受け取ると、この受け取った状態情報を、状態認識部１８が解析し、外部機器の状態（この場合は、バッテリ状態）を把握する（Ｓ６）。
【００４８】
続いて、ユーザからの操作要求と外部機器の状態とを照らし合わせ、外部機器の状態が、ユーザの操作要求に耐え得るかどうかを判定する（Ｓ７）。たとえば、携帯電話機２０のバッテリ状態が、ＭＦＰ１０のユーザからの画像転送要求に耐え得るかどうかを判断する。
【００４９】
ここでは、所定のバッテリ残量等を数値化したものを閾値として保持し、この閾値に基づいて、その後の動作可否を決定付ける。
【００５０】
携帯電話機２０の状態が、ユーザの操作要求に耐え得る（携帯電話機２０のバッテリ状態が、ユーザからの画像転送要求を完了するのに充分である）と認識されれば、ＭＦＰ１０においてユーザが操作した通りの処理（たとえば画像転送処理）を実行する（Ｓ８）。
【００５１】
逆に、携帯電話機２０の状態がユーザからの操作要求に耐えない（画像転送を完了する前にバッテリ切れの可能性がある）と判断されれば、ＭＦＰ１０は、次のように動作する。
【００５２】
まず、ユーザの操作要求が実行可能となるような制御を行うか、操作要求を取り消すか、ＭＦＰ１０からの給電を行うか等について、動作選択表示を行う（Ｓ９）。この表示は、ＭＦＰ１０の表示部１３に表示するようにしてもよく、ＭＦＰ１０の図示しない出力装置から印字出力し、ユーザへ提示するようにしてもよい。
【００５３】
ユーザが、外部機器制御命令を選択すると、Ｓ１１へ遷移する。Ｓ１１では、ＭＦＰ１０が、以下のような制御を、携帯電話機２０に指示する。つまり、携帯電話機２０の液晶表示を消すか、液晶のバックライトを落とすか、マナーモードをリンガーモードにするか、全ての着信を拒否する。このようにして、消費電力を低減する各種設定に切り替える操作を促す。
【００５４】
このような制御を行なった後に、ユーザが要求した操作が実行可能であれば、操作要求を実行に移し（Ｓ１３）、ユーザが要求した操作が実行不可能であれば、操作要求を取り消し、Ｓ１４へ遷移する。
【００５５】
操作が取り消されると、バッテリやその他の原因で操作が実行不可能である旨を、表示部１３へ表示する（Ｓ１４）か、ＭＦＰ１０の出力装置から、その旨のメッセージを印字出力し、これによって、ユーザへ通知し、ユーザによる要求コマンドを取り消す（Ｓ１５）。
【００５６】
このときに、ＭＦＰ１０から警告音を発するようにしてもよく、これによって、携帯電話機２０の端末情報を、ユーザに瞬時に知らせることができる。
【００５７】
また、実施例１では、外部機器制御命令を行った後に、実行可能であるかどうかを判定するが、制御命令後の実行可否を、予め判定するようにしてもよく、この場合、Ｓ９の動作選択表示を行わずに、Ｓ１４の操作不可表示を自動的に行うか、または、ＭＦＰ１０からの給電を自動的に開始する。
【００５８】
次に、実施例１において、判定の結果、ユーザの操作要求が取り消された場合における外部機器（携帯電話機２０）側の動作について説明する。
【００５９】
図４は、実施例１において、判定の結果、ユーザの操作要求が取り消された場合における外部機器（携帯電話機２０）側の動作を示すフローチャートである。
【００６０】
まず、Ｓ２２では、携帯電話機２０がＭＦＰ１０と接続したか否かを調べる。ここでも、上記と同様に、有線、無線という接続形態は問わない。
【００６１】
ＭＦＰ１０との接続を確認できると、Ｓ２３では、ユーザからの操作要求を受ける待機状態であり、携帯電話機２０の操作部２２からのオペレーションによる動作信号か、外部Ｉ／Ｆ制御部２５を通じてＭＦＰ１０の操作部１２から入力されたコマンドによる動作信号かを待つ。
【００６２】
ここで、画像転送やプリント要求等のコマンドをユーザが送出すると（Ｓ２４）、Ｓ２５へ遷移し、そのコマンドが、携帯電話機２０の操作部１２からの要求であれば、受け取ったコマンドを、ＭＦＰ１０へ通知する。
【００６３】
ＭＦＰ１０が、ユーザからのコマンドを受けると、要求の実行可否を判断するために、外部Ｉ／Ｆ制御部１７、２５を通じて、携帯電話機２０に、装置状態情報（実施例１では、バッテリ状態情報）を要求する。
【００６４】
携帯電話機２０は、この装置状態情報の要求を確認すると（Ｓ２５）、要求を受けた状態情報を、ＭＦＰ１０に通知する（Ｓ２６）。
【００６５】
ＭＦＰ１０は、この通知に基づいて、ユーザからの操作要求が実行可能であるかどうかを判定する。この結果、バッテリ残量が、予め設定した所定の閾値以下であれば、その後の動作を選択する画面を表示し、ＭＦＰ１０からの省電制御を行うか、ＭＦＰ１０からの給電を行うか、操作要求を取り消すか等を選択することを、ユーザに求める。
【００６６】
省電制御の有無に関わらず動作不可であるとの判断を、ＭＦＰ１０がすると、携帯電話機２０は、操作中止コマンドを受け取り（Ｓ２７）、動作を中止する（Ｓ２８）。
【００６７】
実施例１では、ＭＦＰ１０と接続してデータのやり取りをする外部機器として、携帯電話機２０を例に挙げたが、これに限定する必要がなく、ＭＦＰ１０との通信Ｉ／Ｆを有する電子機器であれば、携帯電話機以外の電子機器であってもよい。たとえば、ＰＤＡやデジタルカメラ等の機器であってもよい。
【００６８】
また、実施例１の機能を実現するコンピュータプログラムを、画像処理システム１００またはＭＦＰ１０等の画像処理装置に、直接または遠隔から供給し、画像処理システム１００またはＭＦＰ１０等の画像処理装置のコンピュータが、上記供給されたプログラムコードを読み出し、実行するようにしてもよい。
【００６９】
実施例１の機能処理を、コンピュータで実現するために、上記コンピュータにインストールされるプログラムコード自体も、本発明の実施例である。この場合、プログラムの機能を有していれば、オブジェクトコード、インタプリタによって実行されるプログラム、ＯＳに供給するスクリプトデータ等、プログラムの形態を問わない。
【００７０】
また、上記プログラムを記憶媒体に記憶するようにしてもよく、記憶媒体として、各種ディスク装置、ＭＯ、ＣＤ、ＤＶＤ他、磁気テープ、メモリカード等が考えられる。
【００７１】
その他、プログラムの供給方法として、クライアントコンピュータのブラウザを用いてインターネットのホームページに接続し、上記ホームページから、上記コンピュータプログラム自体、または圧縮され自動インストール機能を含むファイルを、ハードディスク等の記憶媒体にダウンロードすることによって供給するようにしてもよい。
【００７２】
また、上記プログラムを構成するプログラムコードを、複数のファイルに分割し、それぞれのファイルを、互いに異なるホームページからダウンロードするようにしてもよい。
【００７３】
つまり、実施例１の機能処理をコンピュータで実現するためのプログラムファイルを、複数のユーザにダウンロードさせるＷＷＷサーバも、本発明の実施例である。
【００７４】
また、上記プログラムを暗号化してＣＤ−ＲＯＭ等の記憶媒体に格納し、ユーザに配布し、所定の条件をクリアしたユーザに、インターネットを介して、ホームページから暗号化を解く鍵情報をダウンロードさせ、その鍵情報を使用することによって、暗号化されたプログラムを実行し、インストールさせて実現するようにしてもよい。
【００７５】
また、読み出したプログラムを、コンピュータが実行することによって、実施例１の機能が実現される他、そのプログラムの指示に基づいて、コンピュータ上で稼動しているＯＳ等が、実際の処理の一部または全部を行い、その処理によっても、実施例１の機能が実現され得る。
【００７６】
さらに、記憶媒体から読み出されたプログラムが、コンピュータに挿入された機能拡張ボードやコンピュータに接続された機能拡張ユニットに備わるメモリに書き込まれた後に、そのプログラムの指示に基づいて、その機能拡張ボードや機能拡張ユニットに備わるＣＰＵ等が、実際の処理の一部または全部を行い、この処理によっても実施例１の機能が実現される。
【図面の簡単な説明】
【００７７】
【図１】本発明の実施例１であるＭＦＰ１０が使用されている画像処理システム１００の全体の構成を示す構成図である。
【図２】ＭＦＰ１０と、携帯電話機２０との回路構成の一例を示すブロック図である。
【図３】実施例１であるＭＦＰ１０の内部処理を示すフローチャートである。
【図４】実施例１において、判定の結果、ユーザの操作要求が取り消された場合における外部機器（携帯電話機２０）側の動作を示すフローチャートである。
【符号の説明】
【００７８】
１００…画像処理システム、
１０…ＭＦＰ、
２０…携帯電話機、
３０…ＰＤＡ。
【図１】
2006285401.tif 000003
【図２】
2006285401.tif 000004
【図３】
2006285401.tif 000005
【図４】
2006285401.tif 000006